(57)【要約】【課題】タイムシフト視聴の機能を損なうことなく、放送信号の選局による信号切替毎に生じる記録再生処理のための処理時間を見かけ上省略する。【解決手段】放送信号を受信し視聴する際、経路１の受信信号が信号選択部３で選択され、再生表示部４で再生表示処理される。このとき同時に、記録再生処理部２では、ＭＰＥＧエンコーダ２１にてＭＰＥＧ符号化によりトランスポートストリーム（ＴＳ）生成が行われ、ハードディスク（ＨＤＤ）２３への記録とともにＨＤＤ２３からのＴＳ再生を行い、ＭＰＥＧデコーダ２４での復号処理を並行して行う。ユーザによってタイムシフト視聴の指示がなされた場合、信号選択器３１は経路２の信号を選択し、ＨＤＤ２３からのＴＳを再生表示し、タイムシフト視聴状態が開始する。【選択図】        図２
2004186997.tif 000002
【特許請求の範囲】
【請求項１】
放送信号を受信しデジタル信号として記録及び再生を行うデジタル記録再生装置において、
前記放送信号を受信するチューナと受信信号をデジタル信号化するデジタル変換器からなる受信部と、デジタル信号を符号化する符号化処理部と符号化された前記デジタル信号を記録する記録システムと記録された前記デジタル信号を復号化する復号化処理器からなる記録再生処理部と、復号化された前記デジタル信号を再生する再生部とを有し、前記受信部からのデジタル信号を前記再生部へ送信するか、前記記録再生処理部を介して前記再生部へ送信するかを選択することを特徴とするデジタル記録再生装置。
【請求項２】
請求項１記載のデジタル記録再生装置において、
前記受信部からのデジタル信号を前記再生部へ送信するか、前記記録再生処理部を介して前記再生部へ送信するかを選択する信号選択器及び該信号選択器を制御する制御器からなる信号選択部を有し、前記放送信号受信時には、前記受信部からのデジタル信号を前記再生部へ送信して再生を行うとともに前記記録再生処理部へ送信して前記記録システムに記録し、該記録システムに記録した記録信号の再生指示時には、前記信号選択部で前記記録再生処理部からの復号化された記録信号を選択し、前記再生部で再生を行うことを特徴とするデジタル記録再生装置。
【請求項３】
請求項１または２記載のデジタル記録再生装置において、
前記受信部は前記チューナに加えて外部入力を有するとともに、前記チューナからの放送信号と前記外部入力からの信号を切替える切替器を有することを特徴とするデジタル記録再生装置。
【発明の詳細な説明】
【０００１】
【発明の属する技術分野】
本発明は、デジタル記録再生装置に関し、さらに詳しくは、テレビジョン放送の放送信号を含むアナログ信号をデジタル信号として記録及び再生を行い、タイムシフト視聴を可能とするデジタル記録再生装置に関する。
【０００２】
【従来の技術】
テレビジョン放送の受信信号またはビデオテープレコーダやデジタル放送受信機等からの外部入力によるアナログ信号を、ハードディスクやＤＶＤ等のランダムアクセス可能な記録メディアへ記録し、再生するデジタル記録再生機器において、従来は、ユーザが現在視聴している映像または音声を、記録メディアに記録しながらその記録している信号を同時に再生することよって、ユーザが一時停止後にその箇所から再生したり、希望する箇所まで記録信号を戻して再生することで、リアルタイムの視聴信号を追いかける形で視聴できるタイムシフト視聴を可能とする技術が知られている（例えば、特許文献１参照）。
【０００３】
【特許文献１】
特開２００２−５１２９０号公報
【０００４】
【発明が解決しようとする課題】
しかしながら、放送信号等のアナログ信号をハードディスク等のデジタル記録メディアに記録するためには、アナログ信号をデジタル信号に変換し、再生するために必要となる記録データフォーマット、例えばデジタル放送に採用されているＭＰＥＧ２のトランスポートストリーム（ＴＳ）やＤＶＤ規格のプログラムストリーム（ＰＳ）へデータ変換する必要がある。このような変換においては、例えばテレビジョン放送視聴の際のチャンネル切替えにおいて、チャンネル毎に前記ストリーム変換を施すために変換時間が必要となり、通常テレビジョン受信機に比べて選局時間がかかり、ユーザに対して選局による待ち時間のストレスを生じさせる。また、外部入力を記録するためには入力切替え毎にストリーム変換を行うために同様に切替え時間を要することとなる。
本発明は、このような事情に鑑みてなされたもので、放送信号の選局や外部信号の入力切替えに要する時間を見かけ上省略し、なおかつタイムシフト視聴を可能にすることを目的とする。
【０００５】
【課題を解決するための手段】
本発明は前記課題を解決するためになされたもので、第１の技術手段は、放送信号を受信しデジタル信号として記録及び再生を行うデジタル記録再生装置において、前記放送信号を受信するチューナと受信信号をデジタル信号化するデジタル変換器からなる受信部と、デジタル信号を符号化する符号化処理部と符号化された前記デジタル信号を記録する記録システムと記録された前記デジタル信号を復号化する復号化処理器からなる記録再生処理部と、復号化された前記デジタル信号を再生する再生部とを有し、前記受信部からのデジタル信号を前記再生部へ送信するか、前記記録再生処理部を介して前記再生部へ送信するかを選択することを特徴とし、チューナからの受信信号と記録部に記録し復号再生された復号再生信号とを選択することで、タイムシフト視聴の機能を損なうことなく、放送信号の選局による信号切替毎に生じる記録再生処理のための処理時間を見かけ上省略する。
【０００６】
第２の技術手段は、第１の技術手段のデジタル記録再生装置において、前記受信部からのデジタル信号を前記再生部へ送信するか、前記記録再生処理部を介して前記再生部へ送信するかを選択する信号選択器及び該信号選択器を制御する制御器からなる信号選択部を有し、前記放送信号受信時には、前記受信部からのデジタル信号を前記再生部へ送信して再生を行うとともに前記記録再生処理部へ送信して前記記録システムに記録し、該記録システムに記録した記録信号の再生指示時には、前記信号選択部で前記記録再生処理部からの復号化された記録信号を選択し、前記再生部で再生を行うことを特徴とし、記録部に記録された記録信号の選択をシステム制御器から信号選択器に指示することで、受信信号と記録信号を選択することを可能とする。
【０００７】
第３の技術手段は、第１または第２の技術手段のデジタル記録再生装置において、前記受信部は前記チューナに加えて外部入力を有するとともに、前記チューナからの放送信号と前記外部入力からの信号を切替える切替え装置を有することを特徴とし、後段の再生部または記録再生処理部への入力信号を選択することを可能とする。
【０００８】
【発明の実施の形態】
以下、本発明の実施の形態を実施例に基づいて説明する。
放送信号を受信し記録再生を行うデジタル記録再生装置において、タイムシフト視聴を可能にするためのランダムアクセス可能なデジタル記録メディアには、ハードディスクやＤＶＤ等が考えられるが、以下の実施例の説明では、ハードディスクを備えたデジタル記録再生装置とし、システムに入力される放送はＮＴＳＣ方式のテレビジョン放送であるものとする。また、放送信号をデジタル記録するための符号化は、デジタルＢＳ放送またはデジタルＣＳ放送等に採用されている映像／音声の符号化技術であるＭＰＥＧ２を備えるものとする。
【０００９】
図１は、実施例のデジタル記録再生装置を示すシステムブロック図である。
実施例のデジタル記録再生装置は、テレビジョン放送信号を受信し、アナログ受信信号をデジタル信号へ変換する受信部１と、受信部１で受信した受信信号を記録し再生するための記録再生処理部２と、再生表示部４に入力する信号を受信部１からの受信信号とするか、記録再生処理部２からの記録再生信号とするかを切替える信号選択部３と、信号選択部３で選択された映像及び音声信号を表示する再生表示部４から構成される。
【００１０】
受信部１は、テレビジョン放送信号を受信するチューナ１１と、チューナ１１で受信した受信信号を符号化するためのデジタル変換、及び映像信号と音声信号を分離し、映像信号を輝度信号と色差信号とを分離する、ＮＴＳＣデコーダと３次元ＹＣ分離器１２とからなり、デジタル化された受信信号は信号選択部３へ送信される信号（経路１）と、記録するために後段の記録再生処理部２へ送信される信号（経路２）とに分岐する。
【００１１】
記録再生処理部２は、デジタル化された映像及び音声信号を記録するためのデータであるトランスポートストリーム（ＴＳ）に符号化するＭＰＥＧエンコーダ２１と、そのトランスポートストリームの記録及び再生を制御するためのハードディスク（ＨＤＤ）システム２２と、ハードディスクシステム２２のデジタル記録メディアであるハードディスク（ＨＤＤ）２３と、ハードディスク２３に記録されたトランスポートストリームを再生するために復号化するＭＰＥＧデコーダ２４とからなる。
ハードディスクシステム２２は、トランスポートストリームを記録しながら記録したトランスポートストリームを出力する機能を有し、これによってタイムシフト視聴を可能とするデータ再生を実現する。ＭＰＥＧデコーダ２４はハードディスク２３から再生されたトランスポートストリームを復号化処理することで、映像と音声信号を再生表示する信号へと変換する。
【００１２】
信号選択部３は、再生部に送信する信号を受信部１からのデジタル化した受信信号とするか、記録再生処理部２からの復号信号とするかを切替える信号選択器３１と信号の選択を制御するシステム制御器３２からなる。
【００１３】
再生表示部４は、復号信号をＮＴＳＣ信号へ変換するＮＴＳＣエンコーダ４１とＮＴＳＣ信号をデジタル／アナログ変換するＤ／Ａコンバータ（ＤＡＣ）４２とから構成され、モニタ等の表示装置へ信号を送る。
【００１４】
図２は、通常の受信視聴時の信号経路を示すシステムブロック図である。
放送信号の通常の受信視聴では、受信部１で受信した放送信号のうち、記録再生処理部２を通過しない経路１の受信信号が信号選択部３で選択され、表示再生部４へ送信され再生表示処理される。
このとき同時に、記録再生処理部２では、ＭＰＥＧエンコーダ２１によってＭＰＥＧ符号化によりトランスポートストリーム（ＴＳ）生成が行われ、ハードディスクシステム２２を介してハードディスク（ＨＤＤ）２３へ記録するとともに、ハードディスクシステム２２を介してハードディスク２３からのトランスポートストリーム出力を行い、ＭＰＥＧデコーダ２４での復号処理を並行して行う。
【００１５】
図３は、タイムシフト視聴時の信号経路を示すシステムブロック図である。
ユーザによってタイムシフト視聴の指示がなされた場合を考える。タイムシフト視聴の指示としては、ユーザのリモートコントローラ操作や本体ボタン操作による一時停止を実行し、その後再生を行うものや、現在視聴している視聴場面から戻す処理を実行して、希望する場面からの再生開始を行うものが考えられる。このとき、ユーザからの指示を受けて、信号選択部３のシステム制御器３２は信号選択器３１に対し、記録再生処理部２からの復号信号を選択する制御信号を送ると、信号選択器３１は指示にしたがって図３に示す経路２の信号に切替える。経路２では、視聴と同時に記録していたハードディスク２３に記録されたトランスポートストリームを再生、表示し、タイムシフト視聴状態が開始する。
【００１６】
タイムシフト視聴状態において、例えば、タイムシフト視聴を強制的に停止する指示やタイムシフト視聴から再生の早送り等でリアルタイム視聴状態へ追いついた状態になった場合、システム制御器３２から信号選択器３１に対して通常視聴の切替信号を送って、図２に示す経路１からの受信信号を再生表示部４へ送る経路に切替え、記録再生処理部２の信号のトランスポートストリームの符号化、トランスポートストリームの記録及び出力、トランスポートストリームの復号化の処理を回避した信号の再生表示を実現する。
【００１７】
図４は、外部入力を備えたデジタル記録再生装置を示すシステムブロック図である。
図４に示すように受信部１は、チューナ１１に加えてビデオテープレコーダやデジタル放送受信機等の外部機器からの入力を受信する第１外部入力１３、第２外部入力１４を備えている。
図４に示す実施例では、第１外部入力１３と第２外部入力１４がチューナ１１の他に接続され、これらの外部入力からの入力信号を入力切替器１５によって切替えることができる。
通常の再生処理を行うような通常視聴時には、経路１を通って再生表示部４へ送られるように信号切替を行う。タイムシフト視聴時には、経路２の記録再生処理部２を通る経路２で再生表示部４へ送信するように切替える。さらに、通常視聴時に戻る場合には経路１で信号を再生する。
さらに、チューナ１１と第１外部入力１３と第２外部入力１４の受信信号を切替える場合には、通常視聴状態の経路１の信号経路で行う。
【００１８】
【発明の効果】
本発明によれば、放送信号の通常視聴において、タイムシフト視聴のためにハードディスク等の記録メディアに記録し再生するための受信信号の符号化と、符号化信号のハードディスク等への記録及び記録信号復号のための処理を行いつつ、再生部に入力する信号のみを切替えて記録再生処理を回避して再生表示を行うことで、タイムシフト視聴の機能を損なうことなく、放送信号の選局による信号切替毎に生じる記録再生処理のための処理時間を見かけ上省略することができる。
また、外部入力の信号切替時においても生じる切替のための記録再生処理時間を短縮することを可能にする。
【図面の簡単な説明】
【図１】実施例のデジタル記録再生装置を示すシステムブロック図である。
【図２】通常の受信視聴時の信号経路を示すシステムブロック図である。
【図３】タイムシフト視聴時の信号経路を示すシステムブロック図である。
【図４】外部入力を備えたデジタル記録再生装置を示すシステムブロック図である。
【符号の説明】
１…受信部、２…記録再生処理部、３…信号選択部、４…再生表示部、１１…チューナ、１２…３次元ＹＣ分離器、１３…第１外部入力、１４…第２外部入力、１５…入力切替器、２１…ＭＰＥＧエンコーダ、２２…ハードディスク（ＨＤＤ）システム、２３…ハードディスク（ＨＤＤ）、２４…ＭＰＥＧデコーダ、３１…信号選択器、３２…システム制御器、４１…ＮＴＳＣエンコーダ、４２…Ｄ／Ａコンバータ（ＤＡＣ）。
【図１】
2004186997.tif 000003
【図２】
2004186997.tif 000004
【図３】
2004186997.tif 000005
【図４】
2004186997.tif 000006